(57)【要約】【課題】  待ち時間を極力低減しながらも複数の操作を行えるようにすることで操作性を高める。【解決手段】  この再生装置には、各種指示が入力される操作部と、操作部からの指示信号に基づいて、再生データの再生状態を制御する制御部とが備えられている。操作部は、少なくとも２段階の入力操作が可能であり、各段階に対応して少なくとも２種類の指示信号を出力する少なくとも２つの多段タクトキーを有している。２つの多段タクトキーのうち、一方の多段タクトキーは再生速度変更指示信号及び次の再生データにスキップするためのスキップアップ指示信号を出力する。他方の多段タクトキーは逆再生速度変更指示信号及び前の再生データにスキップするためのスキップダウン指示信号を出力する。【選択図】図６
2007080387.tif 000002
【特許請求の範囲】
【請求項１】
各種指示が入力される操作部と、
前記操作部からの指示信号に基づいて、再生データの再生状態を制御する制御部とを備え、
前記操作部は、少なくとも２段階の入力操作が可能であり、前記各段階に対応して少なくとも２種類の前記指示信号を出力する少なくとも２つの多段タクトキーを有し、
前記２つの多段タクトキーのうち、一方の多段タクトキーは再生速度変更指示信号及び次の前記再生データにスキップするためのスキップアップ指示信号を出力し、他方の多段タクトキーは逆再生速度変更指示信号及び前の前記再生データにスキップするためのスキップダウン指示信号を出力することを特徴とする再生装置。
【請求項２】
請求項１記載の再生装置において、
前記一方の多段タクトキーは、第１の前記段階における入力操作の場合には前記再生速度変更指示信号を出力し、第２の前記段階における入力操作の場合には前記スキップアップ指示信号を出力し、
前記他方の多段タクトキーは、第１の前記段階における入力操作の場合には前記逆再生速度指示信号を出力し、第２の前記段階における入力操作の場合には前記スキップダウン指示信号を出力することを特徴とする再生装置。
【請求項３】
請求項１又は２記載の再生装置において、
前記一方の多段タクトキーは、前記再生データをグループ毎に送るグループ送り指示信号を出力し、
前記他方の多段タクトキーは、前記再生データをグループ毎に戻すグループ戻し指示信号を出力することを特徴とする再生装置。
【請求項４】
請求項３記載の再生装置において、
前記一方の多段タクトキーは、前記スキップアップ指示信号を出力する際の入力操作よりも上の前記段階である場合には、前記グループ送り指示信号を出力し、
前記他方の多段タクトキーは、前記スキップダウン指示信号を出力する際の入力操作よりも上の前記段階である場合には、前記グループ戻し指示信号を出力することを特徴とする再生装置。
【請求項５】
再生データの再生状態を制御するための各種指示を操作部から入力する際に、
前記操作部に備えられて、少なくとも２段階の入力操作が可能であり、前記各段階に対応して少なくとも２種類の前記指示信号を出力する少なくとも２つの多段タクトキーのうち、一方の多段タクトキーは再生速度変更指示信号及び次の前記再生データにスキップするためのスキップアップ指示信号を出力し、他方の多段タクトキーは逆再生速度変更指示信号及び前の前記再生データにスキップするためのスキップダウン指示信号を出力することを特徴とする再生方法。
【請求項６】
請求項５記載の再生方法において、
前記一方の多段タクトキーは、第１の前記段階における入力操作の場合には前記再生速度変更指示信号を出力し、第２の前記段階における入力操作の場合には前記スキップアップ指示信号を出力し、
前記他方の多段タクトキーは、第１の前記段階における入力操作の場合には前記逆再生速度指示信号を出力し、第２の前記段階における入力操作の場合には前記スキップダウン指示信号を出力することを特徴とする再生方法。
【請求項７】
請求項５又は６記載の再生方法において、
前記一方の多段タクトキーは、前記再生データをグループ毎に送るグループ送り指示信号を出力し、
前記他方の多段タクトキーは、前記再生データをグループ毎に戻すグループ戻し指示信号を出力することを特徴とする再生方法。
【請求項８】
請求項７記載の再生方法において、
前記一方の多段タクトキーは、前記スキップアップ指示信号を出力する際の入力操作よりも上の前記段階である場合には、前記グループ送り指示信号を出力し、
前記他方の多段タクトキーは、前記スキップダウン指示信号を出力する際の入力操作よりも上の前記段階である場合には、前記グループ戻し指示信号を出力することを特徴とする再生方法。
【発明の詳細な説明】
【技術分野】
【０００１】
本発明は、再生装置及び再生方法に関する。
【背景技術】
【０００２】
近年、携帯式の再生装置においては、１つの操作キーに対して「早送り」と「スキップアップ（曲送り）」の機能や「早戻し」と「スキップダウン」の機能を割り当てて各機能を兼用することで、操作キーの設置個数を低減して小型化し、携帯性を高めるようになっている（例えば、特許文献１、２参照）。この特許文献１、２には、１つの押下式の操作キーを押下した際の時間の異なりにより、その押下時間毎に各機能を割り当てることで、１つの操作キーに複数の機能を兼用させる方式が記載されている。
【特許文献１】特開２００１−２１１４０６号公報
【特許文献２】特開２００４−２２１９２１号公報
【発明の開示】
【発明が解決しようとする課題】
【０００３】
しかしながら、操作キーを押下した時間によりその機能が切り替わるものであると、その都度所定時間待たなければならず、操作を即時に行うことは困難であった。
【０００４】
本発明の課題は、極力速やかな動作で複数の操作を行えるようにすることで操作性を高めることである。
【課題を解決するための手段】
【０００５】
請求項１記載の発明における再生装置は、
各種指示が入力される操作部と、
前記操作部からの指示信号に基づいて、再生データの再生状態を制御する制御部とを備え、
前記操作部は、少なくとも２段階の入力操作が可能であり、前記各段階に対応して少なくとも２種類の前記指示信号を出力する少なくとも２つの多段タクトキーを有し、
前記２つの多段タクトキーのうち、一方の多段タクトキーは再生速度変更指示信号及び次の前記再生データにスキップするためのスキップアップ指示信号を出力し、他方の多段タクトキーは逆再生速度変更指示信号及び前の前記再生データにスキップするためのスキップダウン指示信号を出力することを特徴としている。
【０００６】
請求項２記載の発明は、請求項１記載の再生装置において、
前記一方の多段タクトキーは、第１の前記段階における入力操作の場合には前記再生速度変更指示信号を出力し、第２の前記段階における入力操作の場合には前記スキップアップ指示信号を出力し、
前記他方の多段タクトキーは、第１の前記段階における入力操作の場合には前記逆再生速度指示信号を出力し、第２の前記段階における入力操作の場合には前記スキップダウン指示信号を出力することを特徴としている。
【０００７】
請求項３記載の発明は、請求項１又は２記載の再生装置において、
前記一方の多段タクトキーは、前記再生データをグループ毎に送るグループ送り指示信号を出力し、
前記他方の多段タクトキーは、前記再生データをグループ毎に戻すグループ戻し指示信号を出力することを特徴としている。
【０００８】
請求項４記載の発明は、請求項３記載の再生装置において、
前記一方の多段タクトキーは、前記スキップアップ指示信号を出力する際の入力操作よりも上の前記段階である場合には、前記グループ送り指示信号を出力し、
前記他方の多段タクトキーは、前記スキップダウン指示信号を出力する際の入力操作よりも上の前記段階である場合には、前記グループ戻し指示信号を出力することを特徴としている。
【０００９】
請求項５記載の発明における再生方法は、
再生データの再生状態を制御するための各種指示を操作部から入力する際に、
前記操作部に備えられて、少なくとも２段階の入力操作が可能であり、前記各段階に対応して少なくとも２種類の前記指示信号を出力する少なくとも２つの多段タクトキーのうち、一方の多段タクトキーは再生速度変更指示信号及び次の前記再生データにスキップするためのスキップアップ指示信号を出力し、他方の多段タクトキーは逆再生速度変更指示信号及び前の前記再生データにスキップするためのスキップダウン指示信号を出力することを特徴としている。
【００１０】
請求項６記載の発明は、請求項５記載の再生方法において、
前記一方の多段タクトキーは、第１の前記段階における入力操作の場合には前記再生速度変更指示信号を出力し、第２の前記段階における入力操作の場合には前記スキップアップ指示信号を出力し、
前記他方の多段タクトキーは、第１の前記段階における入力操作の場合には前記逆再生速度指示信号を出力し、第２の前記段階における入力操作の場合には前記スキップダウン指示信号を出力することを特徴としている。
【００１１】
請求項７記載の発明は、請求項５又は６記載の再生方法において、
前記一方の多段タクトキーは、前記再生データをグループ毎に送るグループ送り指示信号を出力し、
前記他方の多段タクトキーは、前記再生データをグループ毎に戻すグループ戻し指示信号を出力することを特徴としている。
【００１２】
請求項８記載の発明は、請求項７記載の再生方法において、
前記一方の多段タクトキーは、前記スキップアップ指示信号を出力する際の入力操作よりも上の前記段階である場合には、前記グループ送り指示信号を出力し、
前記他方の多段タクトキーは、前記スキップダウン指示信号を出力する際の入力操作よりも上の前記段階である場合には、前記グループ戻し指示信号を出力することを特徴としている。
【発明の効果】
【００１３】
本発明によれば、操作部には、少なくとも２段階の入力操作が可能であり、各段階に対応して少なくとも２種類の指示信号を出力する多段タクトキーが備わっているので、段階を異ならせることで異種の指示信号を出力することができる。つまり、押下した時間を基に機能が切り替わるものと比較しても、切り替わるまでの待機時間分だけ短縮されるために、操作を即時に行うことが可能となる。これによって、極力速やかな動作で複数の操作を切り替えることができ、操作性が高められることになる。
【００１４】
さらに、２つの多段タクトキーのうち、一方の多段タクトキーは再生速度変更指示信号及びスキップアップ指示信号を出力し、他方の多段タクトキーは逆再生速度変更指示信号及びスキップダウン指示信号を出力しているので、再生速度変更指示及びスキップアップ指示の切り替えと、逆再生速度変更指示及びスキップダウンの切り替えとが、即時に実行されることも可能となる。
そして、再生速度変更及びスキップアップや、逆再生速度変更及びスキップダウン等の同一方向への指示を同一の多段タクトキーにより操作できるため感覚的に分かりやすい操作が可能となる。
【発明を実施するための最良の形態】
【００１５】
以下、本発明の実施形態について図を参照して説明する。図１は、本発明の再生装置としての携帯型音声再生装置の概略構成を表す正面図である。この図１に示すように、携帯型音声再生装置１には、筐体２と、筐体２の上部に配置されて各種情報を表示する表示部２２と、筐体２の下部に配置されて各種操作が入力される操作部３とが設けられている。
【００１６】
操作部３には、十字状に配列された例えば２段タクトキーからなる５つの操作キー３０が備えられている。図２は操作キー３０の概略構成を表す側断面図であり、図３は下面図である。この図２，３に示すように、操作キー３０には、筐体２内の基板４から立設する立設部２３と、立設部２３により支持された状態で、指等で押圧されることにより撓む押圧部２４と、押圧部２４の下面から下方に向けて延在し、押圧部２４の撓みに連動して、基板４上の接点郡４１に接離する接離部２５とが設けられている。
【００１７】
接離部２５は、円柱状でなおかつその下面が球面状となるように例えばゴム等の弾性体で形成されている。接離部２５の下面には、導電体が被膜されていて導電体層２６が形成されている。
【００１８】
図４は接点郡４１の配置パターンの一例を示す上面図であるが、この図４や図２に示すように接点郡４１は点状のＩＮ接点４２と、ＩＮ接点４２を中心とした多重の円弧状のＯＵＴ接点４３とから構成されている。ここで、押圧部２４が押圧されて撓むと、その撓みによって接離部２５の導電体層２６が基板４上に接触し、その後接離部２５は収縮して徐々に接触面積を増加させるようになっている。このとき、接離部２５の導電体層２６がＩＮ接点４２と最内のＯＵＴ接点４３１とに接触しこれらを導通させると、電圧値Ａ値の指示信号（第１指示信号）が出力されることになる。そして、押圧部２４に対する押圧力が強くなって、導電体層２６がＩＮ接点４２と最内のＯＵＴ接点４３１及びその他のＯＵＴ接点４３２とに接触しこれらを導通させると、電圧値Ａ値よりも大きいＢ値の指示信号（第２指示信号）が出力されるようになっている。つまり、操作キー３０は、押圧力に対応して２段階の入力操作が可能であり、各段階に対応して２種類の指示信号を出力するようになっている。ここで、本実施形態では、押圧力が強くなると入力操作の段階も上がるようになっている。具体的に説明すると、押圧力の弱い場合では入力操作が第１段階となって第１指示信号を出力し、押圧力の強い場合では入力操作が第２段階となって第２指示信号を出力することになる。
そして、押圧部２４に対する押圧が解除されると、押圧部２４の撓みが解消されるとともに、接離部２５が弾性復帰して、ＩＮ接点４２及びＯＵＴ接点４３１，４３２と離間することになる。
【００１９】
なお、以下の説明において、図５における上側に配置された操作キー３０を上キー３１と、下側に配置された操作キー３０を下キー３２と、左側に配置された操作キー３０を左キー３３と、右側に配置された操作キー３０を右キー３４と、中央に配置された操作キー３０を中央キー３５と称す。
そして、本実施形態においては、上キー３１及び下キー３２は、操作キー３を押下する押圧力に応じて２段階の入力操作が可能なものとして説明するが、上キー３１及び下キー３２は、少なくとも２段階の入力操作が可能なものであればよく、押圧力の違いにより段階が切り替わる構成のものに限定されない。
【００２０】
図５は、携帯型音声再生装置１の主制御構成を表すブロック図である。この図３に示すように携帯型音声再生装置１には各駆動部を制御する制御部１０が設けられており、当該制御部１０には、本発明の再生データとしての音声データを記憶する例えばＨＤＤ等の記憶部２０と、音声データの各種情報を表示する例えばＬＣＤ等の表示部２２と、操作部３とが電気的に接続されている。
【００２１】
記憶部２０には、多数の音声データが、例えばアーティストやアルバム、ジャンルなど同じ条件毎にグループ化されて記憶されている。また、記憶部２０には、音声データとともに、当該音声データの付帯情報（例えば、アーティスト名、アルバム名、ジャンル名、曲名、記録日時等）が関連付けられて記憶されている。
【００２２】
制御部１０には、割り込みコントローラ１１と、通信部１２と、音声処理部１３と、Ｄ／Ａ変換器１４と、Ａ／Ｄ変換器１５と、ＲＯＭ１６と、ＲＡＭ１７と、ＣＰＵ１８とが備えられている。
【００２３】
割り込みコントローラ１１は、操作部３の各操作キー３０とＣＰＵ１８とに電気的に接続されていて、操作部３から指示信号が出力されると当該指示信号を割り込ませてＣＰＵ１８に出力する。
【００２４】
通信部１２は、例えばＵＳＢ端子であり、ＣＰＵ１８及び記憶部２０と電気的に接続されている。そして通信部１２は、音声データを管理するＰＣ等の外部機器にケーブルを介して接続されることで、当該外部機器と通信し、ＣＰＵ１８及び記憶部２０に通信で得た信号を出力するようになっている。
【００２５】
音声処理部１３は、ＣＰＵ１８の制御に基づいて音声データをデジタル信号で再生し、Ｄ／Ａ変換器１４に出力する。
Ｄ／Ａ変換器１４は、音声処理部１３により再生された音声データをアナログ信号に変替し、出力端子１９を介して出力することで、出力端子１９に接続された例えばスピーカやヘッドホンなどの音声出力機器（図示省略）から音声データを出力させる。
【００２６】
Ａ／Ｄ変換器１５には、ＣＰＵ１８が電気的に接続されているとともに、例えばＣＤプレイヤーやＭＤプレイヤー、マイクなどの外部の音声再生装置及びリモコンが入力端子２１を介して接続されている。Ａ／Ｄ変換器１５は、音声再生装置から入力されたアナログ音声信号や、リモコンから入力されたアナログ指示信号をデジタル信号に変替して、ＣＰＵ１８に出力する。
【００２７】
ＣＰＵ１８は、ＲＯＭ１６中の制御プログラムや制御データをＲＡＭ１７に展開し実行することにより各駆動部を制御する。制御プログラムには、例えば操作部３からの信号に基づいて、音声データの再生状態を切り替える再生状態切替プログラムが含まれる。
【００２８】
以下、再生状態切替プログラムについて説明する。
まず、操作部３の各操作キー３０の２種の指示信号と、各種指示のそれぞれとは対応付けられている。再生状態を切り替える各種指示が、例えば再生指示、早送り指示、スキップアップ指示、早戻し指示、スキップダウン指示である場合には、中央キー３５の第１指示信号が再生指示信号とされ、右キー３４の第１指示信号が早送り指示信号とされ、右キー３４の第２指示信号がスキップアップ指示信号とされ、左キー３３の第１指示信号が早戻し指示信号とされ、左キー３３の第２指示信号信号がスキップダウン指示信号とされている。
【００２９】
ここで、再生指示とは音声データを通常の再生速度で再生させるための指示である。早送り指示とは、再生速度よりも速い速度で音声データを再生させるための指示である。つまり、早送り指示信号は本発明に係る再生速度変更指示信号のことである。スキップアップ指示とは次の音声データにスキップするように再生中の音声データから次の音声データに切り替えて再生させるための指示である。早戻し指示とは再生速度よりも速い速度で音声データを逆再生させるための指示である。つまり、早戻し指示信号は本発明に係る再生速度変更指示信号のことである。スキップダウン指示とは前の音声データにスキップするように再生中の音声データから前回の音声データに切り替えて再生させるための指示である。
そして、ＣＰＵ１８は再生状態切替プログラムを実行することにより、操作部３の各操作キー３０から入力された各種指示信号に基づいて、当該各操作キー３０の第１及び第２信号に対応する指示で、音声データを記憶部２０から読み出しながら、音声処理部１３を制御して音声データの再生状態を切り替えるようになっている。
なお、本実施形態では、音声データの再生中に中央キー３５から第１指示信号がＣＰＵ１８に出力された際にはその再生を停止するように再生状態切替プログラムは構築されている。
【００３０】
次に、本実施形態の携帯型音声再生装置１で実行される再生方法について図６のフローチャートを参照にして説明する。
【００３１】
再生状態切替プログラムが実行されると、ステップＳ１ではＣＰＵ１８は操作部３の中央キー３５からの第１指示信号（再生指示信号）の有無を判定して、当該指示信号が無い場合にはそのままの状態で待機し、有る場合にはステップＳ２に移行する。
【００３２】
ステップＳ２ではＣＰＵ１８は、記憶部２０から音声データを読み出し、音声処理部１３を制御することで、音声データを再生させて、ステップＳ３に移行する。
【００３３】
ステップＳ３ではＣＰＵ１８は、再生中に中央キー３５からの第１指示信号の有無を判定して、当該指示信号が有る場合にはステップＳ４に移行して、無い場合にはステップＳ５に移行する。
【００３４】
ステップＳ４ではＣＰＵ１８は、音声処理部１３を制御して音声データの再生を停止させ、その後、再生状態切替プログラムを終了させる。
【００３５】
ステップＳ５ではＣＰＵ１８は、操作部３の右キー３４から第１指示信号（早送り指示信号）の有無を判定して、当該指示信号が有る場合にはステップＳ６に移行し、無い場合にはステップＳ７に移行する。
【００３６】
ステップＳ６ではＣＰＵ１８は、音声データが早送りで再生されるように音声処理部１３を制御して、ステップＳ９に移行する。
【００３７】
ステップＳ７ではＣＰＵ１８は、操作部３の左キー３３から第１指示信号（早戻し指示）の有無を判定して、当該指示信号が有る場合にはステップＳ８に移行し、無い場合にはステップＳ１１に移行する。
【００３８】
ステップＳ８ではＣＰＵ１８は、音声データが早戻しで再生されるように音声処理部１３を制御して、ステップＳ９に移行する。
【００３９】
ステップＳ９ではＣＰＵ１８は、操作部３の中央キー３５からの第１指示信号（再生指示）の有無を判定して、当該指示信号が無い場合には早送り若しくは早戻しを継続させたままで待機し、有る場合にはステップＳ１０に移行する。
【００４０】
ステップＳ１０ではＣＰＵ１８は、音声処理部１３を制御して各処理（早送り若しくは早戻し）を停止させてから、ステップＳ２に移行する。
【００４１】
ステップＳ１１ではＣＰＵ１８は、操作部３の右キー３４から第２指示信号（スキップアップ指示信号）の有無を判定して、当該指示信号が有る場合にはステップＳ１２に移行し、無い場合にはステップＳ１３に移行する。
【００４２】
ステップＳ１２ではＣＰＵ１８は、次曲の音声データを記憶部２０から読み出し、次曲の音声データが再生されるように音声処理部１３を制御して、ステップＳ３に移行する。
【００４３】
ステップＳ１３ではＣＰＵ１８は、操作部３の左キー３３から第２指示信号（スキップダウン指示信号）の有無を判定して、当該指示信号が有る場合にはステップＳ１４に移行し、無い場合にはステップＳ３に移行する。
【００４４】
ステップＳ１４ではＣＰＵ１８は、前回の音声データを記憶部２０から読み出し、前回の音声データが再生されるように音声処理部１３を制御して、ステップＳ３に移行する。
【００４５】
なお、ステップＳ２、ステップＳ１２及びステップＳ１４においては、ＣＰＵ１８は、再生中の音声データの付帯情報を基にして表示部２２を制御することで、表示部２２に再生中の音声データの各種情報を表示させている。
【００４６】
以上のように、第１の実施の形態によれば、操作部３には、押圧力に対応して２種類の指示信号を出力する２段タクトキーが備わっているので、押圧力を異ならせることで異種の指示信号を出力することができる。つまり、押下した時間を基に機能が切り替わるものと比較しても、切り替わるまでの待機時間分だけ短縮されるために、操作を即時に行うことが可能となる。これにより、極力速やかな動作で複数の操作を切り替えることができ、操作性が高められることになる。
【００４７】
なお、右キー３４が早送り指示信号（再生速度変更指示信号）及びスキップアップ指示信号を出力し、左キー３３が早戻し指示信号（逆再生速度変更指示信号）及びスキップダウン指示信号を出力していることから、早送り指示及びスキップアップ指示の切り替えと、早戻し指示及びスキップダウンの切り替えとを、即時に実行させることも可能となる。
【００４８】
また、右キー３４は、第１指示信号を早送り信号として出力し、第２指示信号をスキップアップ指示信号として出力している。一方、左キー３３は、第１指示信号を早戻し信号として出力し、第２指示信号をスキップダウン指示信号として出力している。つまり、押圧力の弱い場合には右キー３４は早送り指示信号を出力して、左キー３３は早戻し指示信号を出力しており、押圧力の強い場合には右キー３４はスキップアップ指示信号を出力して、左キー３３はスキップダウン指示信号を出力している。これにより、早送りや早戻しの飛び量と、早送りや早戻しの飛び量よりも大きいスキップアップやスキップダウンの飛び量とが押圧力に対応されることになるので、これらの操作を直感的に行うことが可能となり、操作性をさらに高めることができる。
【００４９】
ここで、本実施形態では操作部３の中央キー３５の第２指示信号や、上キー３１及び下キー３２の第１、第２指示信号には、何の指示も対応付けしていない場合を例示して説明したが、これらの指示信号に各種指示を対応付けることは勿論可能である。
【００５０】
［第２の実施の形態］
第１の実施の形態では、操作部３の操作キー３０が２段タクトキーである場合を例示して説明したが、この第２の実施の形態では、操作キーが３段タクトキーである場合を例示して説明する。なお、以下の説明において第１の実施の形態と同一部分においては同一符号を付してその説明を省略する。
【００５１】
図５に示す第１の実施の形態の操作キー３０では、電圧値Ａ値の指示信号（第１指示信号）と、電圧値Ａ値よりも大きいＢ値の指示信号（第２指示信号）が出力される場合を例示しているが、この第３の実施の形態の操作キー３０では、さらに電圧値Ｂ値よりも大きい電圧値Ｃ値の指示信号（第３指示信号）を出力させることで、３種の指示信号を出力するようになっている。この第３指示信号を出力させるためのＯＵＴ接点は、例えばＯＵＴ接点４３２の外側に配置されているので、第３指示信号は第２指示信号よりも強い押圧力で出力されることになる。つまり、本実施形態においても、押圧力が強くなると入力操作の段階も上がるようになっている。具体的に説明すると、押圧力の最も弱い場合では入力操作が第１段階となって第１指示信号を出力し、押圧力の中位の場合では入力操作が第２段階となって第２指示信号を出力し、押圧力が最も強い場合では入力操作が第３段階となって第３指示信号を出力するようになっている。
【００５２】
そして、第２の実施の形態の携帯型音声再生装置１では、操作部３の右キー３４の第１指示信号が早送り指示信号、第２指示信号がスキップアップ指示信号、第３指示信号が音声データをグループ毎に送るグループ送り指示信号としており、左キー３３の第１指示信号が早戻し指示信号、第２指示信号がスキップダウン指示信号、第３指示信号が再生データをグループ毎に戻すグループ戻し指示信号としている。ここで、音声データのグループ化には各音声データの付帯情報が用いられることになる。例えば、付帯情報としてのアルバム名を条件とした場合には同一アルバムの音声データがグループ化され、付帯情報としてのアーティスト名を条件とした場合には同一アーティストの音声データがグループ化され、付帯情報としてのジャンル名を条件とした場合には同一ジャンルの音声データがグループ化されることになる。なお、以下の説明においては同一アルバムの音声データをグループ化した場合について説明するが、これに限定されるものではなく、同一アーティストや同一ジャンルなどでグループ化した場合においても適用可能である。
【００５３】
次に、本実施形態の携帯型音声再生装置１で実行される再生方法について図７のフローチャートを参照にして説明する。
【００５４】
再生状態切替プログラムが実行されると、ステップＳ１０１ではＣＰＵ１８は操作部３の中央キー３５からの第１指示信号（再生指示信号）の有無を判定して、当該指示信号が無い場合にはそのままの状態で待機し、有る場合にはステップＳ１０２に移行する。
【００５５】
ステップＳ１０２ではＣＰＵ１８は、記憶部２０から音声データを読み出し、音声処理部１３を制御することで、音声データを再生させて、ステップＳ１０３に移行する。
【００５６】
ステップＳ１０３ではＣＰＵ１８は、再生中に中央キー３５からの第１指示信号の有無を判定して、当該指示信号が有る場合にはステップＳ１０４に移行して、無い場合にはステップＳ１０５に移行する。
【００５７】
ステップＳ１０４ではＣＰＵ１８は、音声処理部１３を制御して音声データの再生を停止させ、その後、再生状態切替プログラムを終了させる。
【００５８】
ステップＳ１０５ではＣＰＵ１８は、操作部３の右キー３４からの第１指示信号（早送り指示信号）の有無を判定して、当該指示信号が有る場合にはステップＳ１０６に移行し、無い場合にはステップＳ１０７に移行する。
【００５９】
ステップＳ１０６ではＣＰＵ１８は、音声データが早送りで再生されるように音声処理部１３を制御して、ステップＳ１０９に移行する。
【００６０】
ステップＳ１０７ではＣＰＵ１８は、操作部３の左キー３３からの第１指示信号（早戻し指示信号）の有無を判定して、当該指示信号が有る場合にはステップＳ１０８に移行し、無い場合にはステップＳ１１１に移行する。
【００６１】
ステップＳ１０８ではＣＰＵ１８は、音声データが早戻しで再生されるように音声処理部１３を制御して、ステップＳ１０９に移行する。
【００６２】
ステップＳ１０９ではＣＰＵ１８は、操作部３の中央キー３５からの第１指示信号（再生指示信号）の有無を判定して、当該指示信号が無い場合には早送り若しくは早戻しを継続させたままで待機し、有る場合にはステップＳ１１０に移行する。
【００６３】
ステップＳ１１０ではＣＰＵ１８は、音声処理部１３を制御して各処理（早送り若しくは早戻し）を停止させてから、ステップＳ１０２に移行する。
【００６４】
ステップＳ１１１ではＣＰＵ１８は、操作部３の右キー３４からの第２指示信号（スキップアップ指示信号）の有無を判定して、当該指示信号が有る場合にはステップＳ１１２に移行し、無い場合にはステップＳ１１３に移行する。
【００６５】
ステップＳ１１２ではＣＰＵ１８は、次曲の音声データを記憶部２０から読み出し、次曲の音声データが再生されるように音声処理部１３を制御して、ステップＳ１０３に移行する。
【００６６】
ステップＳ１１３ではＣＰＵ１８は、操作部３の左キー３３からの第２指示信号（スキップダウン指示信号）の有無を判定して、当該指示信号が有る場合にはステップＳ１１４に移行し、無い場合にはステップＳ１１５に移行する。
【００６７】
ステップＳ１１４ではＣＰＵ１８は、前回の音声データを記憶部２０から読み出し、前回の音声データが再生されるように音声処理部１３を制御して、ステップＳ１０３に移行する。
【００６８】
ステップＳ１１５ではＣＰＵ１８は、右キー３４からの第３指示信号（グループ送り指示信号）の有無を判定して、当該指示信号が有る場合にはステップＳ１１６に移行し、無い場合にはステップＳ１１７に移行する。なお、本実施形態ではステップＳ１１５でのグループ送り指示を、アルバム毎に音声データをまとめて送るアルバムアップ指示としている。
【００６９】
ステップＳ１１６ではＣＰＵ１８は、次アルバムの音声データを記憶部２０から読み出し、次アルバムの先頭曲の音声データが再生されるように音声処理部１３を制御して、ステップＳ１０３に移行する。
【００７０】
ステップＳ１１７ではＣＰＵ１８は、操作部３の左キー３３からの第３指示信号（グループ戻し指示信号）の有無を判定して、当該指示信号が有る場合にはステップＳ１１８に移行し、無い場合にはステップＳ１０３に移行する。なお、本実施形態ではステップＳ１１７でのグループ送り指示を、アルバム毎に音声データをまとめて戻すアルバムダウン指示としている。
【００７１】
ステップＳ１１８ではＣＰＵ１８は、前回アルバムの音声データを記憶部２０から読み出し、前回アルバムの先頭曲の音声データが再生されるように音声処理部１３を制御して、ステップＳ１０３に移行する。
【００７２】
なお、ステップＳ１０２、ステップＳ１１２、ステップＳ１１４、ステップＳ１１６及びステップＳ１１８においては、ＣＰＵ１８は、再生中の音声データの付帯情報を基にして表示部２２を制御することで、表示部２２に再生中の音声データの各種情報を表示させている。
【００７３】
以上のように、第２の実施の形態によれば、１つの操作キー３０で３つの指示が行えるので、より多様な操作が行えるようになる。また、アルバム送り、アルバム戻しは、スキップアップやスキップダウンよりも飛び量が大きいが、アルバム送り指示信号及びアルバム戻し指示信号は、スキップアップ指示やスキップダウン指示よりも押圧力の必要な第３指示信号に割り当てられているので、直感的な操作が可能となり操作性をさらに高めることができる。
【００７４】
［第３の実施の形態］
第１及び第２の実施の形態では、再生速度変更指示を早送り指示、逆再生速度変更指示を早戻し指示とすることで、再生及び逆再生ともに一段階の速度変更が可能な構成を例示して説明しているが、この第３の実施の形態では、再生及び逆再生ともに複数段階の速度変更が可能な構成を例示して説明する。なお、以下の説明において、第１及び第２の実施の形態と同一部分においては同一符号を付してその説明を省略する。
【００７５】
この第３の実施の形態における操作部３では、右キー３４の第１指示信号が早送り指示信号、第２指示信号が高速送り指示信号、第３指示信号がスキップアップ指示信号となっており、左キー３３の第１指示信号が早戻し指示信号、第２指示信号が高速戻し信号、第３指示信号がスキップダウン指示信号となっている。
【００７６】
ここで、高速送り指示とは、早送り指示での再生速度よりも速い再生速度で再生させるための指示である。また、高速戻し指示とは早戻し指示での逆再生速度よりも速い再生速度で逆再生させるための指示である。つまり、高速送り指示は本発明に係る再生速度変更指示であり、高速戻し指示は本発明に係る逆再生速度変更指示である。
【００７７】
次に、本実施形態の携帯型音声再生装置１で実行される再生方法について図８のフローチャートを参照にして説明する。
【００７８】
再生状態切替プログラムが実行されると、ステップＳ２０１ではＣＰＵ１８は操作部３の中央キー３５からの第１指示信号（再生指示信号）の有無を判定して、当該指示信号が無い場合にはそのままの状態で待機し、有る場合にはステップＳ２０２に移行する。
【００７９】
ステップＳ２０２ではＣＰＵ１８は、記憶部２０から音声データを読み出し、音声処理部１３を制御することで、音声データを再生させて、ステップＳ２０３に移行する。
【００８０】
ステップＳ２０３ではＣＰＵ１８は、再生中に中央キー３５からの第１指示信号の有無を判定して、当該指示信号が有る場合にはステップＳ２０４に移行して、無い場合にはステップＳ２０５に移行する。
【００８１】
ステップＳ２０４ではＣＰＵ１８は、音声処理部１３を制御して音声データの再生を停止させ、その後、再生状態切替プログラムを終了させる。
【００８２】
ステップＳ２０５ではＣＰＵ１８は、操作部３の右キー３４からの第１指示信号（早送り指示信号）の有無を判定して、当該指示信号が有る場合にはステップＳ２０６に移行し、無い場合にはステップＳ２０７に移行する。
【００８３】
ステップＳ２０６ではＣＰＵ１８は、音声データが早送りで再生されるように音声処理部１３を制御して、ステップＳ２１３に移行する。
【００８４】
ステップＳ２０７ではＣＰＵ１８は、操作部３の右キーからの第２指示信号（高速送り指示信号）の有無を判定して、当該指示信号が有る場合にはステップＳ２０８に移行し、無い場合にはステップＳ２０９に移行する。
【００８５】
ステップＳ２０８ではＣＰＵ１８は、音声データが高速送りで再生されるように音声処理部１３を制御して、ステップＳ２１３に移行する。
【００８６】
ステップＳ２０９ではＣＰＵ１８は、操作部３の左キー３３からの第１指示信号（早戻し指示信号）の有無を判定して、当該指示信号が有る場合にはステップＳ２１０に移行し、無い場合にはステップＳ２１１に移行する。
【００８７】
ステップＳ２１０ではＣＰＵ１８は、音声データが早戻しで再生されるように音声処理部１３を制御して、ステップＳ２１３に移行する。
【００８８】
ステップＳ２１１ではＣＰＵ１８は、操作部３の左キー３３からの第２指示信号（高速戻し指示信号）の有無を判定して、当該指示信号が有る場合にはステップＳ２１０に移行し、無い場合にはステップＳ２１１に移行する。
【００８９】
ステップＳ２１２ではＣＰＵ１８は、音声データが高速戻しで再生されるように音声処理部１３を制御して、ステップＳ２１３に移行する。
【００９０】
ステップＳ２１３ではＣＰＵ１８は、操作部３の中央キー３５からの第１指示信号（再生指示）の有無を判定して、当該指示信号が無い場合には早送り、高速送り、早戻し若しくは高速戻しを継続させたままで待機し、有る場合にはステップＳ２１４に移行する。
【００９１】
ステップＳ２１４ではＣＰＵ１８は、音声処理部１３を制御して各処理（早送り、高速送り、早戻し若しくは高速戻し）を停止させてから、ステップＳ２０２に移行する。
【００９２】
ステップＳ２１５ではＣＰＵ１８は、操作部３の右キー３４からの第３指示信号（スキップアップ指示信号）の有無を判定して、当該指示信号が有る場合にはステップＳ２１６に移行し、無い場合にはステップＳ２１７に移行する。
【００９３】
ステップＳ２１６ではＣＰＵ１８は、次曲の音声データを記憶部２０から読み出し、次曲の音声データが再生されるように音声処理部１３を制御して、ステップＳ２０３に移行する。
【００９４】
ステップＳ２１７ではＣＰＵ１８は、操作部３の左キー３３からの第３指示信号（スキップダウン指示信号）の有無を判定して、当該指示信号が有る場合にはステップＳ２１８に移行し、無い場合にはステップＳ２０３に移行する。
【００９５】
ステップＳ２１８ではＣＰＵ１８は、前回の音声データを記憶部２０から読み出し、前回の音声データが再生されるように音声処理部１３を制御して、ステップＳ２０３に移行する。
【００９６】
なお、ステップＳ２０２、ステップＳ２１６及びステップＳ２１８においては、ＣＰＵ１８は、再生中の音声データの付帯情報を基にして表示部２２を制御することで、表示部２２に再生中の音声データの各種情報を表示させている。
【００９７】
以上のように第３の実施の形態によれば、高速送り指示及び高速戻し指示は、早送り指示や早戻し指示よりも押圧力の必要な第２指示信号に割り当てられているので、直感的な操作が可能となり操作性をさらに高めることができる。
なお、本実施形態では早送り、早戻しともに２段階で速度変更される場合を例示したが、３段階以上であってもよい。この場合においても、操作キー３０に対する押圧力が高まることで段階的に速度が高速となるように設定されていることが好ましい。
【００９８】
［第４の実施の形態］
第３の実施の形態では、再生速度変更指示を早送り指示と高速送り指示として、逆再生速度変更指示を早戻し指示と高速戻しとすることで、再生及び逆再生ともに通常の再生速度よりも速く速度変更することが可能な構成を例示して説明しているが、この第４の実施の形態では、再生及び逆再生ともに通常の再生速度よりも遅く速度変更することの可能な構成を例示して説明する。なお、以下の説明において、第１の実施の形態と同一部分においては同一符号を付してその説明を省略する。
【００９９】
この第４の実施の形態における操作部３では、右キー３４の第１指示信号がスロー再生指示信号、第２指示信号が通常再生復帰指示信号、第３指示信号が早送り指示信号となっており、左キーの第１指示信号がスロー逆再生指示信号、第２指示信号が逆再生指示信号、第３指示信号が早戻し指示信号となっている。
【０１００】
ここで、逆再生指示とは、通常の再生速度で逆再生させるための指示である。スロー逆再生指示とは、通常の再生速度よりも遅い速度で逆再生させるための指示である。スロー再生指示とは、通常の再生速度よりも遅い速度で再生させるための指示である。通常再生復帰指示とは、通常の再生速度に復帰させて再生させるための指示である。
【０１０１】
次に、本実施形態の携帯型音声再生装置１で実行される再生方法について図９のフローチャートを参照にして説明する。
【０１０２】
再生状態切替プログラムが実行されると、ステップＳ３０１ではＣＰＵ１８は操作部３の中央キー３５からの第１指示信号（再生指示信号）の有無を判定して、当該指示信号が無い場合にはそのままの状態で待機し、有る場合にはステップＳ３０２に移行する。
【０１０３】
ステップＳ３０２ではＣＰＵ１８は、記憶部２０から音声データを読み出し、音声処理部１３を制御することで、音声データを再生させて、ステップＳ３０３に移行する。
【０１０４】
ステップＳ３０３ではＣＰＵ１８は、再生中に中央キー３５からの第１指示信号の有無を判定して、当該指示信号が有る場合にはステップＳ３０４に移行して、無い場合にはステップＳ３０５に移行する。
【０１０５】
ステップＳ３０４ではＣＰＵ１８は、音声処理部１３を制御して音声データの再生を停止させ、その後、再生状態切替プログラムを終了させる。
【０１０６】
ステップＳ３０５ではＣＰＵ１８は、操作部３の右キーからの第１指示信号（スロー再生指示信号）の有無を判定して、当該指示信号が有る場合にはステップＳ３０６に移行し、無い場合にはステップＳ３０７に移行する。
【０１０７】
ステップＳ３０６ではＣＰＵ１８は、音声データがスロー再生されるように音声処理部１３を制御して、ステップＳ３０７に移行する。
【０１０８】
ステップＳ３０７ではＣＰＵ１８は、操作部３の右キー３４からの第２指示信号（通常再生復帰指示信号）の有無を判定して、当該指示信号が有る場合にはステップＳ３０８に移行し、無い場合にはステップＳ３０９に移行する。
【０１０９】
ステップＳ３０８ではＣＰＵ１８は、音声データが通常の再生速度で再生されている場合にはそのままの速度で再生を継続させて、通常の再生速度で再生されていない場合には通常の再生速度に復帰させて再生させるように音声処理部１３を制御して、ステップＳ３０９に移行する。
【０１１０】
ステップＳ３０９ではＣＰＵ１８は、操作部３の右キー３４からの第３指示信号（再生指示信号）の有無を判定して、当該指示信号が有る場合にはステップＳ３１０に移行し、無い場合にはステップＳ３１１に移行する。
【０１１１】
ステップＳ３１０ではＣＰＵ１８は、音声データが早送りで再生されるように音声処理部１３を制御して、ステップＳ３１１に移行する。
【０１１２】
ステップＳ３１１ではＣＰＵ１８は、操作部３の左キー３３からの第１指示信号（スロー逆再生指示信号）の有無を判定して、当該指示信号が有る場合にはステップＳ３１２に移行し、無い場合にはステップＳ３１３に移行する。
【０１１３】
ステップＳ３１２ではＣＰＵ１８は、音声データがスロー逆再生されるように音声処理部１３を制御して、ステップＳ３１３に移行する。
【０１１４】
ステップＳ３１３ではＣＰＵ１８は、操作部３の左キー３３からの第２指示信号（逆再生指示信号）の有無を判定して、当該指示信号が有る場合にはステップＳ３１４に移行し、無い場合にはステップＳ３１５に移行する。
【０１１５】
ステップＳ３１４ではＣＰＵ１８は、音声データが逆再生されるように音声処理部１３を制御して、ステップＳ３１５に移行する。
【０１１６】
ステップＳ３１５ではＣＰＵ１８は、操作部３の左キー３３からの第３指示信号（早戻し指示信号）の有無を判定して、当該指示信号が有る場合にはステップＳ３１６に移行し、無い場合にはステップＳ３０３に移行する。
【０１１７】
ステップＳ３１６ではＣＰＵ１８は、音声データが早戻しで再生されるように音声処理部１３を制御して、ステップＳ３０７に移行する。
【０１１８】
以上のように第４の実施の形態によれば、再生及び逆再生速度が早まるごとに、それらの指示が押圧力の必要な指示信号に割り当てられているので、直感的な操作が可能となり操作性をさらに高めることができる。
【０１１９】
なお、本発明は上記実施形態に限らず適宜変更可能であるのは勿論である。
例えば、上記実施形態では、再生データとして音声データを例示して説明したが、これ以外にも動画データや、静止画データを再生データとすることも可能である。すなわち、本実施形態では、再生装置として携帯型の音声再生装置を例示して説明しているものの、再生装置はこれに限られるものではなく、これ以外にも例えば動画再生装置や静止画再生装置などそれ専用の再生装置や、動画、音楽、静止画等の少なくとも２つを再生する複合式の再生装置、或いは携帯電話、携帯型ゲーム機やＰＤＡなどのような各種再生機能を有した携帯機器に対しても本発明の構成を適用することが可能である。
【０１２０】
また、上記実施形態では、操作部３の各操作キー３０が２段タクトキー若しくは３段タクトキーである場合を例示して説明したが、４段以上のタクトキーを適用することも可能である。
【図面の簡単な説明】
【０１２１】
【図１】第１の実施の形態に係る携帯型音声再生装置の概略構成を表す正面図である。
【図２】図１の携帯型音声再生装置に備わる操作キーの概略構成を表す側断面図である。
【図３】図２の操作キーの概略構成を表す下面図である。
【図４】図２のそうさきーに備わる接点郡の配置パターンの一例を示す上面図である。
【図５】図１の携帯型音声再生装置の主制御構成を表すブロック図である。
【図６】図１の携帯型音声再生装置の動作を表すフローチャートである。
【図７】第２の実施の形態の携帯型音声再生装置の動作を表すフローチャートである。
【図８】第３の実施の形態の携帯型音声再生装置の動作を表すフローチャートである。
【図９】第４の実施の形態の携帯型音声再生装置の動作を表すフローチャートである。
【符号の説明】
【０１２２】
１  携帯型音声再生装置（再生装置）
２  筐体
３  操作部
４  基板
１０  制御部
１１  割り込みコントローラ
１２  通信部
１３  音声処理部
１４  Ｄ／Ａ変換器
１５  Ａ／Ｄ変換器
１９  出力端子
２０  記憶部
２１  入力端子
２２  表示部
２３  立設部
２４  押圧部
２５  接離部
２６  導電体層
３０  操作キー
３１  上キー
３２  下キー
３３  左キー
３４  右キー
３５  中央キー
４１  接点郡
４２  ＩＮ接点
４３  ＯＵＴ接点
【図１】
2007080387.tif 000003
【図２】
2007080387.tif 000004
【図３】
2007080387.tif 000005
【図４】
2007080387.tif 000006
【図５】
2007080387.tif 000007
【図６】
2007080387.tif 000008
【図７】
2007080387.tif 000009
【図８】
2007080387.tif 000010
【図９】
2007080387.tif 000011